(57)【要約】【課題】  ＬＥＤの光の利用効率が悪化することなく導光板の薄型化を図ることができるＬＥＤ照明器具を提供する。【解決手段】  ＬＥＤ照明器具は、左端面に光の入射面１ａを有する導光板１と、光源となるＬＥＤ３が上面に実装されるとともに、ＬＥＤ３の発光面３ａの面方向と入射面１ａの面方向とが略交差するように入射面１ａの近傍に配置される実装基板２と、ＬＥＤ３の光を反射して導光板１の入射面１ａから導光板１内へ入射させる反射部材４と、これらを収納する筐体５とを備える。【選択図】図１
2007080531.tif 000002
【特許請求の範囲】
【請求項１】
一端面に光の入射面を有する導光部材と、発光面の面方向と前記入射面の面方向とが交差するように前記入射面の近傍に配置されるＬＥＤと、前記ＬＥＤの光を反射して前記入射面から前記導光部材内へ入射させる反射部材とを備えていることを特徴とするＬＥＤ照明器具。
【発明の詳細な説明】
【技術分野】
【０００１】
本発明は、ＬＥＤを光源として用いるＬＥＤ照明器具、特にエッジライト方式のＬＥＤ照明器具に関する。
【背景技術】
【０００２】
従来から提供されているエッジライト方式のＬＥＤ照明器具としては、複数のＬＥＤが一面に実装された帯状の実装基板と、透光性装飾板等に用いられる導光板とを備え、光の入射面となる導光板の一端面と、前記帯状基板に実装されたＬＥＤの発光面とを対向配置して、ＬＥＤの光を導光板の一端面から導光板内へ入射させるものが提供されている（例えば、特許文献１）。
【特許文献１】特開平６−３１２６００号公報（第４図）
【発明の開示】
【発明が解決しようとする課題】
【０００３】
ところで、上記の導光板は、ガラス板やアクリル板を用いて形成されるものであるから、ＬＥＤ照明器具の重量の増大、及び高コスト化の要因となる。そのため、導光板の厚みを薄くすることで、ＬＥＤ照明器具の軽量化、及び低コスト化を図ることが望まれている。
【０００４】
しかしながら、従来のＬＥＤ照明器具において、導光板の厚みを薄くした際には、導光板の入射面となる一端面の面積も小さくなってしまい、これによりＬＥＤの光の導光板への入射量が減ってＬＥＤの光の利用効率が悪くなり、その結果、ＬＥＤ照明器具の明るさが暗くなってしまうという新たな問題が生じていた。
【０００５】
本発明は上述の点に鑑みて為されたもので、その目的は、ＬＥＤの光の利用効率が悪化することなく導光板の薄型化を図ることができるＬＥＤ照明器具を提供することである。
【課題を解決するための手段】
【０００６】
上記の課題を解決するために、請求項１のＬＥＤ照明器具の発明では、一端面に光の入射面を有する導光部材と、発光面の面方向と前記入射面の面方向とが交差するように前記入射面の近傍に配置されるＬＥＤと、前記ＬＥＤの光を反射して前記入射面から前記導光部材内へ入射させる反射部材とを備えていることを特徴とする。
【発明の効果】
【０００７】
本発明は、反射部材によりＬＥＤの光を導光部材の入射面から導光部材内へ入射させるようにしているので、入射面の面積が小さくなったとしても問題無くＬＥＤの光を導光部材内へ入射させることができ、これにより、光の利用効率が悪化することなく導光板の薄型化を図ることが可能となり、結果として、軽量化、及び低コスト化を図ることができるという効果がある。
【発明を実施するための最良の形態】
【０００８】
以下に、本発明の一実施形態について図１を参照して説明する。尚、以下の説明では、図１（ａ）の上方をＬＥＤ照明器具の上方、図１（ａ）の下方をＬＥＤ照明器具の下方、図１（ａ）の右方をＬＥＤ照明器具の右方、図１（ａ）の左方をＬＥＤ照明器具の左方とする。
【０００９】
本実施形態のＬＥＤ照明器具は、図１（ａ）に示すように、一端面（左端面）に光の入射面１ａを有する導光板１と、光源となるＬＥＤ３が一面（上面）に実装されるとともに、ＬＥＤ３の発光面３ａの面方向と入射面１ａの面方向とが略直交するように入射面１ａの近傍に配置される実装基板２と、ＬＥＤ３の光を反射して導光板１の入射面１ａから導光板１内へ入射させる反射部材４と、これらを収納する筐体５とを備えている。
【００１０】
導光板１は、図１（ｂ）に示すように、例えば上面のみを発光面する片面発光型のものであり、ガラス、或いはアクリル等の透光性材料を用いて矩形板状に形成されており、その左端面がＬＥＤ３の光の入射面１ａとして用いられる。また、その下面には、導光板１内を伝わる光を外方へ出射させるためのＶ字状の溝（図示せず）が設けられるとともに、このＶ字状の溝から下方へ出射された光を上方へ反射して所定の発光表示を行うための反射シート（図示せず）が設けられている。ところで、上記の図示しないＶ字状の溝は、導光板１の左端側から右端側、つまりは入射面から離れるほど、溝間の間隔が狭くなるように（密度が高くなるように）設けられており、これにより導光板１の発光面（上面）の均斉化を図っている。
【００１１】
実装基板２は、ＬＥＤ３の放熱板を兼ねるいわゆる金属ベース基板であり、例えば放熱性、加工性、シールド性等に優れたアルミ基板（アルミベース基板）を用いて、図１（ｂ）に示すように長尺平板状に形成されている。この実装基板２の上面には、ＬＥＤ３を含む電子部品用の配線パターン、例えば複数（本実施形態では８個）の表面実装型のＬＥＤ３を、発光面３ａを上方に向けるとともに実装基板２の長手方向に列設するようにして実装基板２に実装するための配線パターン（図示せず）が設けられており、この配線パターンにＬＥＤ３及び図示しない電子部品を実装することにより、外部電源からの電力供給によりＬＥＤ３…を発光させる点灯回路が構成される。
【００１２】
尚、実装基板２に実装されたＬＥＤ３…は、シリコン等の透光性を有する樹脂を用いて封止されており、これによりＬＥＤ３の防水性及び放熱性の向上を図るようにしている。また尚、本実施形態では、実装基板２上に８個のＬＥＤ３を１列に並べるようにしているが、例えば８個のＬＥＤ３を２列に並べて合計１６個のＬＥＤ３を設けるようにしもよく、ＬＥＤ３の数は状況に応じて適宜変更すればよい。
【００１３】
筐体５は、例えば、樹脂成形品からなり、図１（ａ）に示すように、実装基板２が固定される長尺状の底部５ａと、底部５ａの短手方向の一端側（図１（ａ）の右端側）及び長手方向両端部から上方へ垂設され、導光板１が固定される側板部５ｂとを一体に備えるとともに、側板部５ｂの上端部と底部５ａの短手方向の他端側（図１（ａ）の左端側）とを連結する略弧状の蓋部５ｃを備えている。底部５ａには、実装基板２を固定するための部材（図示せず）や、実装基板２に接続する外部の電源線を筐体５内に挿入するための電源線挿入口（図示せず）等が設けられている。また、側板部５ｂには、導光板１の左端側を筐体５内に挿入するための略矩形状の開口部５ｄが設けられている。
【００１４】
一方、蓋部５ｃの内面には、反射部材４が取り付けられている。ここで、反射部材４は、例えば、アルミ等の光の反射率が高い金属材料から形成されており、実装基板２のＬＥＤ３の発光面３ａからの光を導光板１の入射面１ａ側へ反射するような表面形状（例えば、断面が中心角約９０の円弧状の凹面形状）を有している。
【００１５】
以上述べたように、本実施形態のＬＥＤ照明器具は、図１（ｂ）に示すように、導光板１と、ＬＥＤ３が実装される実装基板２と、反射部材４を備える筐体５とで構成されており、実装基板２は、筐体５の底部５ａに固定され、導光板１は、入射面１ａを筐体５の側板部５ｂの開口部５ｄから筐体５内に臨ませた状態で固定されている。
【００１６】
このようにして実装基板２と導光板５とが筐体５に固定されることで、実装基板２は、ＬＥＤ３の発光面３ａの面方向と入射面１ａの面方向とが略直交するように導光板１の入射面１ａの近傍に配置されることになる。尚、ＬＥＤ３の発光面３ａと導光板１の下面とは、ＬＥＤ３から右側へ照射される光の利用効率を考えると、略同一平面上に位置するようにするのが好ましい。
【００１７】
次に、本実施形態のＬＥＤ照明器具の動作について説明する。外部の電源からの電力供給により実装基板２に設けたＬＥＤ３…を点灯させると、各ＬＥＤ３から光が照射されて、この光は発光面３ａから全方位へと広がり、ＬＥＤ３の光のうち、右側へ進む光は、そのまま入射面１ａから導光板１内に入射される一方、ＬＥＤ３から左側へ進む光は、反射部材４により右方へ反射された後に、入射面１ａから導光板１内に入射される。このようにして導光板１内に入射された光は、導光板１内で全反射されながら左端側から右端側へと伝わり、一部の光は、導光板１の下面に設けたＶ字状の溝（図示せず）により導光板１の下面から外方へ出射される。そして、導光板１から外方へ出射された光は、導光板１の下面に設けられた反射シート（図示せず）により反射されて、再び導光板１を通って導光板１の発光面から出射され、周囲を照らすのである。
【００１８】
以上述べたように、本実施形態のＬＥＤ照明器具は、反射部材４を用いてＬＥＤ３の光を導光板１の入射面１ａから導光板１内へ入射させるようにしているので、入射面１ａの面積を小さくした場合でも、入射面１ａから導光板１内に入射する光の量を確保できるから、問題無くＬＥＤ３の光を導光板１内へ入射させることができ、これにより、光の利用効率が悪化することなく導光板１の薄型化を図ることが可能となり、結果として、軽量化、及び低コスト化を図ることができる。
【００１９】
ところで、上記の例では、ＬＥＤ３の発光面３ａの面方向と入射面１ａの面方向とが直交するようにしているが、発光面３ａの面方向と入射面１ａの面方向との角度は、直角に限られるものではなく、ＬＥＤ３の光を反射部材４により反射して入射面１ａに入射させることができるような角度であればよい。
【００２０】
一方、導光板１では、Ｖ字状の溝の密度によって導光板１の発光面の均斉化を図っているが、例えば、導光板１の左端側から右端側、つまりは入射面から離れるほど、溝の大きさを大きくするようにしても、同様に導光板１の発光面（上面）の均斉化を図ることができ、また、溝の密度と大きさの組合せによって発光面の均斉化を図るようにしてもよい。さらに、上記の例では、Ｖ字状の溝としているが、このような溝は、Ｖ字状のものに限られるものではなく、様々な形状のものを用いることができる。尚、発光面に白色系インクを用いて、左端側に行くほど遮光性が良いようなパターンのドットを印刷してもよく、これによっても同様に導光板１の発光面の均斉化を図ることができる。
【００２１】
尚、ＬＥＤ３からの光の導光部材としては、上記のような片面発光型の導光板１に限らず、例えば、両面発光型のものや、合わせ両面発光型のもの、さらには、可撓性を有する透光性樹脂等を用いてシート状に形成した導光シートを用いるようにしてもよい。
【００２２】
また尚、反射部材４は、金属材料に限られるものではなく、プリズム等を用いてＬＥＤ３の光を入射面１ａ側に反射するようにしてもよく、ＬＥＤ照明器具の筐体５の形状は、上記の例に限られるものではなく、状況に応じて好適なものとすればよい。
【図面の簡単な説明】
【００２３】
【図１】（ａ）は、本発明のＬＥＤ照明器具の概略断面図であり、（ｂ）は、同上の斜視図である。
【符号の説明】
【００２４】
１    導光板
１ａ  入射面
２    実装基板
３    ＬＥＤ
３ａ  発光面
４    反射部材
５    筐体
【図１】
2007080531.tif 000003